【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
光源手段から出射された光束を偏向走査する光偏向器と、前記光偏向器の偏向面にて偏向走査された光束を被走査面に結像させる結像光学系と、を有する光走査装置であって、
前記光偏向器の偏向面に入射する光束は、副走査断面内において、前記偏向面に対して垂直に入射しており、
前記光偏向器の偏向面に入射する光束は、主走査断面内において、前記結像光学系の光軸に対して角度を有して入射しており、
前記光偏向器と前記被走査面との間の光路中に、前記光偏向器から順に、前記結像光学系を構成する透過型結像光学素子、反射型光学素子が配置されており、
副走査断面内において、前記反射型光学素子によって反射された光束の主光線と前記反射型光学素子の法線とが成す角度をθとするとき、
θ≦４５°
なる条件を満足しており、
副走査断面内において、前記透過型結像光学素子は、前記反射型光学素子にて反射された光路に干渉しないように前記透過型結像光学素子の外形中心線が前記透過型結像光学素子に入射する光束の主光線に対して前記反射型光学素子にて反射された光路の反対側に位置するように配置されていることを特徴とする光走査装置。
【請求項２】
副走査断面内において、前記反射型光学素子によって反射された光束の主光線と前記反射型光学素子の法線とが成す角度をθとするとき、
θ≦３０°
なる条件を満足することを特徴とする請求項１に記載の光走査装置。
【請求項３】
前記透過型結像光学素子の副走査断面内のパワーをφｉ、前記結像光学系の副走査断面内のパワーをφａｌｌとするとき、
｜φｉ／φａｌｌ｜≦０.０１
なる条件を満足することを特徴とする請求項１又は２に記載の光走査装置。
【請求項４】
前記透過型結像光学素子の入射面の副走査方向の曲率半径をＲ１（ｍｍ）、前記透過型結像光学素子の出射面の副走査方向の曲率半径をＲ２（ｍｍ）とするとき、
｜1／Ｒ１｜＋｜１／Ｒ２｜＜０.００６７（１／ｍｍ）
なる条件を満足することを特徴とする請求項１乃至３の何れか一項に記載の光走査装置。
【請求項５】
副走査断面内において、前記透過型結像光学素子は、前記透過型結像光学素子の光軸と前記透過型結像光学素子の外形中心線とが一致しておらず、かつ、
副走査断面内において、前記透過型結像光学素子に入射する光束の主光線が前記透過型結像光学素子の光軸を通過していることを特徴とする請求項１乃至４の何れか一項に記載の光走査装置。
【請求項６】
前記透過型結像光学素子の材料は、樹脂であることを特徴とする請求項１乃至５の何れか一項に記載の光走査装置。
【請求項７】
副走査断面内において、前記透過型結像光学素子を保持する保持枠の外形の高さをＨ（ｍｍ）、前記外形中心線から前記透過型結像光学素子の入射面に入射する光束の主光線までの物理的な距離をｄＺ（ｍｍ）とするとき、
０.０５＜ｄＺ／Ｈ＜０.５
なる条件を満足することを特徴とする請求項１乃至６の何れか一項に記載の光走査装置。
【請求項８】
前記透過型結像光学素子は、主走査断面内の位置決めを行う基準面を前記透過型結像光学素子の光学面の有効域外に有していることを特徴とする請求項１乃至７の何れか一項に記載の光走査装置。
【請求項９】
前記透過型結像光学素子は、主走査断面内の基準位置を決める基準突起部を前記透過型結像光学素子の入射面側に有していることを特徴とする請求項１乃至７の何れか一項に記載の光走査装置。
【請求項１０】
副走査断面内において、前記透過型結像光学素子は、前記透過型結像光学素子の副走査方向の外周部に主走査断面内の基準位置を決める凹形状の基準部を有していることを特徴とする請求項１乃至９の何れか一項に記載の光走査装置。
【請求項１１】
副走査断面内において、前記透過型結像光学素子を保持する保持枠の副走査方向の外周部の端面は、前記反射型光学素子にて反射された光路に沿ったテーパー状より成ることを特徴とする請求項１乃至７の何れか一項に記載の光走査装置。
【請求項１２】
請求項１乃至１１の何れか一項に記載の結像光学系が、副走査断面内において、前記光偏向器を挟んで２つ配置されていることを特徴とする光走査装置。
【請求項１３】
請求項１乃至１２の何れか一項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１４】
請求項１３に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００３４
【補正方法】変更
【補正の内容】
【００３４】
請求項１の発明の光走査装置は、光源手段から出射された光束を偏向走査する光偏向器と、前記光偏向器の偏向面にて偏向走査された光束を被走査面に結像させる結像光学系と、を有する光走査装置であって、
前記光偏向器の偏向面に入射する光束は、副走査断面内において、前記偏向面に対して垂直に入射しており、
前記光偏向器の偏向面に入射する光束は、主走査断面内において、前記結像光学系の光軸に対して角度を有して入射しており、
前記光偏向器と前記被走査面との間の光路中に、前記光偏向器から順に、前記結像光学系を構成する透過型結像光学素子、反射型光学素子が配置されており、
副走査断面内において、前記反射型光学素子によって反射された光束の主光線と前記反射型光学素子の法線とが成す角度をθとするとき、
θ≦４５°
なる条件を満足しており、
副走査断面内において、前記透過型結像光学素子は、前記反射型光学素子にて反射された光路に干渉しないように前記透過型結像光学素子の外形中心線が前記透過型結像光学素子に入射する光束の主光線に対して前記反射型光学素子にて反射された光路の反対側に位置するように配置されていることを特徴としている。
【手続補正３】
【補正対象書類名】明細書
【補正対象項目名】００３５
【補正方法】変更
【補正の内容】
【００３５】
請求項２の発明は請求項１の発明において、副走査断面内において、前記反射型光学素子によって反射された光束の主光線と前記反射型光学素子の法線とが成す角度をθとするとき、
θ≦３０°
なる条件を満足することを特徴としている。
【手続補正４】
【補正対象書類名】明細書
【補正対象項目名】００３６
【補正方法】変更
【補正の内容】
【００３６】
請求項３の発明は請求項１又は２の発明において、前記透過型結像光学素子の副走査断面内のパワーをφｉ、前記結像光学系の副走査断面内のパワーをφａｌｌとするとき、
｜φｉ／φａｌｌ｜≦０.０１
なる条件を満足することを特徴としている。
【手続補正５】
【補正対象書類名】明細書
【補正対象項目名】００３７
【補正方法】変更
【補正の内容】
【００３７】
請求項４の発明は請求項１乃至３のいずれか一項の発明において、前記透過型結像光学素子の入射面の副走査方向の曲率半径をＲ１（ｍｍ）、前記透過型結像光学素子の出射面の副走査方向の曲率半径をＲ２（ｍｍ）とするとき、
｜1／Ｒ１｜＋｜１／Ｒ２｜＜０.００６７（１／ｍｍ）
なる条件を満足することを特徴としている。
【手続補正６】
【補正対象書類名】明細書
【補正対象項目名】００３８
【補正方法】変更
【補正の内容】
【００３８】
請求項５の発明は請求項１乃至４のいずれか一項の発明において、副走査断面内において、前記透過型結像光学素子は、前記透過型結像光学素子の光軸と前記透過型結像光学素子の外形中心線とが一致しておらず、かつ、
副走査断面内において、前記透過型結像光学素子に入射する光束の主光線が前記透過型結像光学素子の光軸を通過していることを特徴としている。
【手続補正７】
【補正対象書類名】明細書
【補正対象項目名】００３９
【補正方法】変更
【補正の内容】
【００３９】
請求項６の発明は請求項１乃至５のいずれか一項の発明において、前記透過型結像光学素子の材料は、樹脂であることを特徴としている。
【手続補正８】
【補正対象書類名】明細書
【補正対象項目名】００４０
【補正方法】変更
【補正の内容】
【００４０】
請求項７の発明は請求項１乃至６のいずれか一項の発明において、副走査断面内において、前記透過型結像光学素子を保持する保持枠の外形の高さをＨ（ｍｍ）、前記外形中心線から前記透過型結像光学素子の入射面に入射する光束の主光線までの物理的な距離をｄＺ（ｍｍ）とするとき、
０.０５＜ｄＺ／Ｈ＜０.５
なる条件を満足することを特徴としている。
【手続補正９】
【補正対象書類名】明細書
【補正対象項目名】００４１
【補正方法】変更
【補正の内容】
【００４１】
請求項８の発明は請求項１乃至７のいずれか一項の発明において、前記透過型結像光学素子は、主走査断面内の位置決めを行う基準面を前記透過型結像光学素子の光学面の有効域外に有していることを特徴としている。
【手続補正１０】
【補正対象書類名】明細書
【補正対象項目名】００４２
【補正方法】変更
【補正の内容】
【００４２】
請求項９の発明は請求項１乃至７のいずれか一項の発明において、前記透過型結像光学素子は、主走査断面内の基準位置を決める基準突起部を前記透過型結像光学素子の入射面側に有していることを特徴としている。
【手続補正１１】
【補正対象書類名】明細書
【補正対象項目名】００４３
【補正方法】変更
【補正の内容】
【００４３】
請求項１０の発明は請求項１乃至９のいずれか一項の発明において、副走査断面内において、前記透過型結像光学素子は、前記透過型結像光学素子の副走査方向の外周部に主走査断面内の基準位置を決める凹形状の基準部を有していることを特徴としている。
【手続補正１２】
【補正対象書類名】明細書
【補正対象項目名】００４４
【補正方法】変更
【補正の内容】
【００４４】
請求項１１の発明は請求項１乃至７のいずれか一項の発明において、副走査断面内において、前記透過型結像光学素子を保持する保持枠の副走査方向の外周部の端面は、前記反射型光学素子にて反射された光路に沿ったテーパー状より成ることを特徴としている。
【手続補正１３】
【補正対象書類名】明細書
【補正対象項目名】００４５
【補正方法】変更
【補正の内容】
【００４５】
請求項１２の発明の光走査装置は、請求項１乃至１１の何れか一項に記載の結像光学系が、副走査断面内において、前記光偏向器を挟んで２つ配置されていることを特徴としている。
【手続補正１４】
【補正対象書類名】明細書
【補正対象項目名】００４６
【補正方法】変更
【補正の内容】
【００４６】
請求項１３の発明の画像形成装置は、請求項１乃至１２の何れか一項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴としている。
【手続補正１５】
【補正対象書類名】明細書
【補正対象項目名】００４７
【補正方法】変更
【補正の内容】
【００４７】
請求項１４の発明の画像形成装置は、請求項１４に記載の光走査装置と、外部機器から入力したコードデータを画像信号に変換して前記光走査装置に入力せしめるプリンタコントローラとを有していることを特徴とする画像形成装置。
【手続補正１６】
【補正対象書類名】明細書
【補正対象項目名】００４８
【補正方法】削除
【補正の内容】
【手続補正１７】
【補正対象書類名】明細書
【補正対象項目名】００４９
【補正方法】削除
【補正の内容】
【手続補正１８】
【補正対象書類名】明細書
【補正対象項目名】００５０
【補正方法】削除
【補正の内容】
【手続補正１９】
【補正対象書類名】明細書
【補正対象項目名】００５１
【補正方法】削除
【補正の内容】
【手続補正２０】
【補正対象書類名】明細書
【補正対象項目名】００６１
【補正方法】変更
【補正の内容】
【００６１】
ＬＢは結像光学系（ｆθレンズ系）である。本実施例における結像光学系ＬＢは、光偏向器５からの光束を被走査面８に導光する複数（本実施例では２つ）の結像光学素子（透過型結像光学素子）（第１、第２の結像レンズ６，８）を含んで構成されている。
【手続補正２１】
【補正対象書類名】明細書
【補正対象項目名】００６３
【補正方法】変更
【補正の内容】
【００６３】
７，９は各々光路折り曲げ用の第１、第２の反射ミラー（反射型光学素子）であり、光偏向器５と被走査面１１との間の光路中に配置されている。また第１、第２の反射ミラー７，９のうち、光学的に光偏向器５に最も近い第１反射ミラー７は、第１、第２の結像レンズ６，８間（２つの結像光学素子間）に位置している。
【手続補正２２】
【補正対象書類名】明細書
【補正対象項目名】０１０４
【補正方法】変更
【補正の内容】
【０１０４】
また本実施例において、第１結像レンズ６を保持する結像光学素子の保持枠の外形の高さをＨ、外形中心線６１から入射光束(走査光束）１４の主光線までの物理的な距離（シフト量）をｄＺとするとき、
０.０５＜ｄＺ／Ｈ＜０.５ ・・・(5)
なる条件を満足させている。
【手続補正２３】
【補正対象書類名】明細書
【補正対象項目名】０１４１
【補正方法】変更
【補正の内容】
【０１４１】
本実施例において、前述の実施例１と異なる点は、主走査断面内の位置決めを行う基準面６３を第１結像レンズ６のレンズ面（光学面）の有効域外に設けたことである。その他の構成及び光学的作用は実施例１と同様であり、これにより同様な効果を得ている。